(57)【要約】【課題】操作性を向上させる（短時間で画像転送を完了する）。【解決手段】画像転送装置（１）に記録媒体（ＲＭ）を挿入すると画像転送装置が起動し、記録媒体内の記録画像が表示画面に表示される。ユーザは必要に応じて画像転送装置の表示画像を変更する。データ送信先の情報機器（２）にてデータ受信用のプログラムを起動させ、ペアリングを実行する。その後、転送したい画像が表示された画像転送装置を情報機器に軽く当てる操作を行うと、表示された画像（対象画像）の画像データが情報機器に無線送信される。【選択図】図１２
2014096054.tif 000002
【特許請求の範囲】
【請求項１】
情報機器と通信可能な画像転送装置であって、
記録媒体内の１以上の記録画像に含まれる対象画像を表示する表示画面と、
当該画像転送装置の動きに応答して前記対象画像の画像データを前記情報機器に送信する送信部と、を備えた
ことを特徴とする画像転送装置。
【請求項２】
センサを用いて、送信指示に対応する当該画像転送装置の動きである送信指示動きを検出する動き検出部を更に備え、
前記送信部は、前記送信指示動きが検出されたとき、前記対象画像の画像データを前記情報機器に送信し、
前記送信指示動きは、当該画像転送装置を振動させる動きを含む
ことを特徴とする請求項１に記載の画像転送装置。
【請求項３】
前記送信指示動きにおける振動は、当該画像転送装置の１．５周期分の振動を含む
ことを特徴とする請求項２に記載の画像転送装置。
【請求項４】
当該画像転送装置が複数の情報機器と通信可能である場合、
前記送信部は、当該画像転送装置の第１動きに応答して前記対象画像の画像データを前記複数の情報機器に含まれる特定の情報機器に送信する一方、前記第１動きと異なる当該画像転送装置の第２動きに応答して前記対象画像の画像データを前記複数の情報機器の夫々に送信し、
前記送信指示動きとしての前記第１及び第２動きの夫々は、当該画像転送装置を振動させる動きを含み、前記第１及び第２動き間で振動回数が互いに異なる
ことを特徴とする請求項３に記載の画像転送装置。
【請求項５】
当該画像転送装置が複数の情報機器と通信可能である場合、
前記送信部は、当該画像転送装置の第１動きに応答して前記対象画像の画像データを前記複数の情報機器に含まれる特定の情報機器に送信する一方、前記第１動きと異なる当該画像転送装置の第２動きに応答して前記対象画像の画像データを前記複数の情報機器の夫々に送信する
ことを特徴とする請求項１乃至３の何れかに記載の画像転送装置。
【請求項６】
前記複数の情報機器の夫々と当該画像転送装置との間の電波状態に応じて、前記特定の情報機器を決定する又は前記第２動きに応答した各情報機器に対する前記画像データの送信順序を決定する通信制御部を更に備えた
ことを特徴とする請求項４又は５に記載の画像転送装置。
【請求項７】
前記情報機器に送信される前記画像データは、前記記録媒体に記録された前記対象画像の原画像データ、又は、前記原画像データよりもデータサイズの小さい前記対象画像のリサイズデータである
ことを特徴とする請求項１乃至６の何れかに記載の画像転送装置。
【発明の詳細な説明】
【技術分野】
【０００１】
本発明は、画像転送装置に関する。
【背景技術】
【０００２】
デジタルカメラ（一眼レフデジタルカメラ、ミラーレスデジタルカメラ、高級コンパクトデジタルカメラ等）で撮影した画像（写真）のデータを、スマートフォンなどの情報機器に転送したいというニーズが存在する。例えば、ユーザは、転送された画像データを情報機器上で閲覧したり、電子メールに添付して知人に送信したり、ソーシャルネットワーキングサービスを運営するウェブサイトに載せたりする。
【０００３】
図１６を参照し、デジタルカメラで撮影した画像のデータをスマートフォンなどの情報機器９０２に転送（コピー）する従来手順を説明する。転送されるべき画像データは、ＳＤカード（登録商標）などのメモリカードに記録されているものとする。情報機器９０２には、メモリカードを挿入するスロットが設けられておらず、代わりにＵＳＢ（登録商標）規格等に従ったコネクタが設けられている。ユーザは、そのコネクタを介してメモリカード内のデータを情報機器９０２に読み込ませるための変換アダプタ９０１を用意する（変換アダプタ９０１について、例えば下記非特許文献１参照）。
【０００４】
まず、ユーザは、情報機器９０２のコネクタカバーを外して変換アダプタ９０１のケーブルの一端を情報機器９０２のコネクタに接続し、変換アダプタ９０１のスロットにメモリカードを挿入する。その後、ユーザは情報機器９０２を操作することで、メモリカードが挿入された変換アダプタ９０１のドライブを選択する。続いて、ユーザはメモリカード内の所望フォルダ（ＤＣＩＭ）を選択し、更に、場合によっては、コピーされるべきデータの入ったフォルダ（撮影機）を選択する。これらの選択操作に応答して、対応フォルダ内における画像ファイル名が情報機器９０２にリスト表示される。ユーザは、情報機器９０２を操作してメニューを表示させ当該メニューの中から項目“コピー”を選択する。その後、ユーザは、コピーしたい画像の選択操作を行い、更にコピー先のフォルダを選択し、最後に確定操作を成す。これにより、メモリカード内の所望の画像データが情報機器９０２内のメモリにコピーされる。
【０００５】
また、或る画像の画像データを送信先機器に送信する際、画像データのリサイズ処理を行ってリサイズデータを送信する方法も提案されている（例えば下記特許文献１参照）。
【先行技術文献】
【特許文献】
【０００６】
【特許文献１】特開２０１１−２１１６３０号公報
【非特許文献】
【０００７】
【非特許文献１】サンワサプライ、“スマートフォン・タブレットカードリーダ”、［ｏｎｌｉｎｅ］、［平成２４年１０月３０日検索］、インターネット＜URL：http://direct.sanwa.co.jp/ItemPage/400-GADR002W＞
【発明の概要】
【発明が解決しようとする課題】
【０００８】
図１６からも理解されるように、従来装置を用いて画像転送を行うためには、多くのタッチパネル操作等が必要であり、その操作性は必ずしも高いとは言えない。操作性の向上が有益であることは言うまでもない。
【０００９】
そこで本発明は、操作性の高い画像転送装置を提供することを目的とする。
【課題を解決するための手段】
【００１０】
本発明に係る画像転送装置は、情報機器と通信可能な画像転送装置であって、記録媒体内の１以上の記録画像に含まれる対象画像を表示する表示画面と、当該画像転送装置の動きに応答して前記対象画像の画像データを前記情報機器に送信する送信部と、を備えたことを特徴とする。
【００１１】
上記構成によれば、転送を望む画像が表示された画像転送装置を動かす（例えば振る）という直感的な操作で画像データの送信を指示することができ、ユーザにとってメリットが大きい（高い操作性が実現される）。
【発明の効果】
【００１２】
本発明によれば、操作性の高い画像転送装置を提供することが可能である。
【図面の簡単な説明】
【００１３】
【図１】本発明の実施形態に係る画像転送装置の概略全体ブロック図である。
【図２】本発明の実施形態に係る情報機器の概略全体ブロック図である。
【図３】本発明の実施形態に係るデータ転送の概念図である。
【図４】図１の主制御部の内部ブロック図である。
【図５】記録媒体内に複数の記録画像及び画像ファイルが保持されている様子を示す図である。
【図６】画像ファイルの構造を示す図である。
【図７】本発明の実施形態に係る画像転送装置及び情報機器の動作フローチャートである。
【図８】原画像データ、リサイズデータ及びサムネイルデータの関係を示す図（ａ）、（ｂ）及び（ｃ）と、それらのデータが画像処理部にて取り扱われる様子を示す図である。
【図９】本発明の実施形態に係る画像データの送信指示の入力方法を示す図である。
【図１０】ＸＹＺ座標系と画像転送装置との関係を示す図（ａ）と、動き検出部に加速度センサが設けられている様子を示す図（ｂ）、（ｃ）及び（ｄ）である。
【図１１】画像転送装置の動きの内容を示す図である。
【図１２】本発明の実施形態に係る画像データの転送手順（コピーの手順）を示す図である。
【図１３】リサイズ処理の詳細を示す図である。
【図１４】画像転送装置と複数の情報機器を示す図である。
【図１５】画像データの第１送信指示の入力方法及び第２送信指示の入力方法を示す図である。
【図１６】従来技術に係り、画像データの転送手順（コピーの手順）を示す図である。
【発明を実施するための形態】
【００１４】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１５】
図１は、本発明の実施形態に係る画像転送装置１の内部ブロックである。図２は、本発明の実施形態に係る情報機器２の内部ブロックである。図３は、画像転送装置１及び情報機器２の外観斜視図を含む、データ転送の概念図である。画像転送装置１及び情報機器２の夫々は電子機器の一種である。情報機器２は、任意の情報の取得、再生又は加工等を行うことのできる任意の情報機器であり、例えば、携帯電話機、情報端末、パーソナルコンピュータ、電子書籍リーダ、電子辞書、デジタルカメラ、ゲーム機器又はナビゲーション装置である。本実施形態では、特に例えば、情報機器２が電話機能を有しつつ携帯情報端末（Personal Data Assistanceとも呼ばれる）としての機能をも持った所謂スマートフォンであることを想定している。
【００１６】
画像転送装置１及び情報機器２は双方向の通信が可能である。装置１及び機器２間の通信は有線通信であっても良いが、以下では、装置１及び機器２間の通信は無線通信であるとする。装置１及び機器２間の無線通信は、任意の通信規格に従ったものであって良く、例えば、Ｗｉ−Ｆｉ（登録商標）又はＢｌｕｅｔｏｏｔｈ（登録商標）の規格に従う。装置１及び機器２間の通信の対象データは画像データを含み、画像データはソース装置ＣＭ（図３参照）にて生成又は取得される。ソース装置ＣＭは、画像データを生成又は取得可能な任意の電子機器である。ここでは、ソース装置ＣＭはデジタルカメラであるとする（以下、ソース装置ＣＭとしてのデジタルカメラをカメラＣＭとも呼ぶ）。カメラＣＭは、デジタルスチルカメラ又はデジタルビデオカメラである。カメラＣＭは被写体の撮影画像の画像データを自身に接続された記録媒体ＲＭに記録することができる。記録媒体ＲＭは、カメラＣＭにとって着脱可能な任意の不揮発性メモリであり、半導体メモリ又は磁気ディスク等にて形成される。記録媒体ＲＭに記録された画像データそのもの又は当該画像データに基づく画像データを、画像転送装置１を経由して情報機器２に転送することができる。
【００１７】
画像転送装置１は、符号１１〜１７によって参照される各部位を備える。符号１１は、記録媒体ＲＭに接続可能な記録媒体接続部を表す。本実施形態では、記録媒体ＲＭが、任意の規格に従ったカード状の記録媒体（ＳＤカード（登録商標）等）であるとする。これに伴い、記録媒体接続部１１をカードスロット１１と呼ぶ。記録媒体ＲＭは、カードスロット１１に対して着脱可能（挿抜可能）である。カードスロット１１は、記録媒体ＲＭが挿入されるスロットであり、記録媒体ＲＭがカードスロット１１に挿入されたとき、記録媒体ＲＭは画像転送装置１に電気的に接続され、画像転送装置１は記録媒体ＲＭの記録内容を読み出すことが可能になる。
【００１８】
画像処理部１２は、任意の画像データに対し所定の画像処理を実行する。動き検出部１３は、センサを用いて画像転送装置１の動きを検出する。表示部１４は、液晶ディスプレイ等の表示画面１４Ａと、表示画面１４Ａと操作体との接触位置を検出するタッチ検出部１４Ｂと、を有する表示装置である。操作体は、例えば、画像転送装置１のユーザの指又はタッチペンである。通信部１５は、データの受信を行う受信部１５Ａとデータの送信を行う送信部１５Ｂとから成り、受信部１５Ａ及び送信部１５Ｂを用いて、情報機器２との間で任意のデータのやりとりを行う。メモリ１６は、半導体メモリ等にて形成され、画像転送装置１内で取り扱う任意のデータを記憶するデータメモリ、及び、主制御部１７にて動作するプログラムを格納するプログラムメモリを含む。
【００１９】
主制御部１７は、マイクロコンピュータ等から成り、画像転送装置１内の動作を統括的に制御する。図４に示す如く、主制御部１７は、カードスロット１１に挿入及び接続された記録媒体ＲＭから記録媒体ＲＭに記録された所望のデータを読み出す読み出し制御部５１、画像処理部１２にて実行される画像処理の内容及び画像処理の実行可否等を制御する画像処理制御部５２、表示画面１４Ａの表示内容を制御する表示制御部５３、表示画面１４Ａに表示されるべき画像を選択又は決定する表示画像選択部（表示画像決定部）５４、及び、通信部１５における通信の内容及び通信の実行可否等を制御する通信制御部５５と、を備える。尚、表示画像選択部５４は表示制御部５３の一部であると考えても良い。
【００２０】
情報機器２は、符号２１〜２５によって参照される各部位を備える。表示部２１は、液晶ディスプレイ等の表示画面２１Ａと、表示画面２１Ａと操作体との接触位置を検出するタッチ検出部２１Ｂと、を有する表示装置である。操作体は、例えば、情報機器２のユーザの指又はタッチペンである。通信部２２は、データの受信を行う受信部２２Ａとデータの送信を行う送信部２２Ｂとから成り、受信部２２Ａ及び送信部２２Ｂを用いて、画像転送装置１との間で任意のデータのやりとりを行う。各種機能部２３は、電話機能、撮影機能、スケジュール管理機能、音楽再生機能など様々な機能を実現する。メモリ２４は、半導体メモリ等にて形成され、情報機器２内で取り扱う任意のデータを記憶するデータメモリ、及び、主制御部２５にて動作するプログラムを格納するプログラムメモリを含む。主制御部２５は、マイクロコンピュータ等から成り、表示部２１、通信部２２、各種機能部２３及メモリ２４の動作を統括的に制御する。
【００２１】
以下では、図５（ａ）に示す如く、記録媒体ＲＭに、画像ＲＩ［１］〜ＲＩ［ｎ］の画像データが記録されているものとし、記録媒体ＲＭに記録されている各画像を記録画像とも言う。各記録画像は静止画像又は動画像である。本実施形態では、ｎが２以上の整数であることを想定するが、ｎは１であっても良い。各記録画像の撮影時刻又は生成時刻が各記録画像に対応づけられて記録媒体ＲＭに保存されている。或る記録画像がカメラＣＭの撮影によって得られたものである場合、当該記録画像の撮影時刻はカメラＣＭが当該記録画像を撮影した時刻である。ここでは、各記録媒体の画像データは、図６に示す形態の画像ファイルに格納された状態で記録媒体ＲＭに記録されているものとする。
【００２２】
図６に示す如く、１つの画像ファイルは、本体領域とヘッダ領域から成る。記録画像ＲＩ［ｉ］に対応する画像ファイルを記号ＦＬ［ｉ］によって表す（ｉは整数）。図５（ｂ）を参照し、記録媒体ＲＭにおいて、画像ファイルＦＬ［ｉ］の本体領域には記録画像ＲＩ［ｉ］の画像データＤＯ［ｉ］が保存されており、当該本体領域に保存された当該画像データＤＯ［ｉ］を特に原画像データと呼ぶ。記録画像ＲＩ［ｉ］の撮影時刻又は生成時刻は画像ファイルＦＬ［ｉ］のヘッダ領域に記録されている。任意の整数ｉに関し、記録画像ＲＩ［ｉ＋１］の撮影時刻及び生成時刻は、記録画像ＲＩ［ｉ］の撮影時刻及び生成時刻よりも遅いものとする。また、画像ファイルＦＬ［ｉ］のヘッダ領域には、記録画像ＲＩ［ｉ］のサムネイルデータが保存されうる。記録画像ＲＩ［ｉ］のサムネイルデータは、記録画像ＲＩ［ｉ］のサムネイルの画像データである。記録画像ＲＩ［ｉ］のサムネイルは、記録画像ＲＩ［ｉ］の縮小画像に相当する。
【００２３】
尚、以下の説明において単に表示、表示画像といった場合、それは、表示画面１４Ａにおける表示、表示画像を指すものとする。また、以下の説明において、ユーザとは、画像転送装置１又は情報機器２を操作するユーザであり、通常、画像転送装置１を操作するユーザと情報機器２を操作するユーザは同一人物である。また、表示画面１４Ａを操作体で触れることによるユーザ操作をタッチパネル操作と呼び、画像転送装置１に設けられうる機械式操作部材（ボタン、キー又はダイヤル等）に対するユーザ操作をボタン操作と呼ぶ。機械式操作部材が画像転送装置１に無い場合には、当然、ボタン操作は存在しない。
【００２４】
図７を参照し、画像転送装置１及び情報機器２の基本的な動作の手順を説明する。図７は、該動作のフローチャートである。
【００２５】
カードスロット１１に記録媒体ＲＭが挿入されておらず且つ画像転送装置１の電源がオフである状態（画像転送装置１の駆動用電力が画像転送装置１に供給されてない状態）を起点として、ステップＳ１１においてユーザが記録媒体ＲＭをカードスロット１１に挿入すると、ステップＳ１２において画像転送装置１の電源がオンになる（即ち、画像転送装置１の駆動用電力が画像転送装置１に供給される）。画像転送装置１はバッテリ（不図示）を電力源として駆動することができる。例えば、カードスロット１１に記録媒体ＲＭが挿入されることで、カードスロット１１内に設けられたスイッチ（不図示）がオンとなって上記バッテリによる駆動用電力が画像転送装置１の各電子部品に供給され、画像転送装置１の電源がオンとなる。
【００２６】
画像転送装置１の電源がオンになると、ステップＳ１３において、表示制御部５３は、記録媒体ＲＭ内の記録画像の何れかを表示画面１４Ａに表示及び再生させる。より具体的には、ステップＳ１３において、表示画像選択部５４は、記録媒体ＲＭ内の記録画像の内、最も撮影時刻又は生成時刻が遅い記録画像を、表示画面１４Ａに表示されるべき画像として選択する。選択される画像は動画像でありうるが、ここでは、静止画像が選択されたと考える。選択された静止画像は、画像転送装置１において対象画像として取り扱われる。選択部５４にて選択された対象画像の画像データは読み出し制御部５１により記録媒体ＲＭから読み出され、読み出された画像データに基づき、対象画像が表示画面１４Ａに表示される。尚、表示用に記録媒体ＲＭから読み出される画像データは、対象画像の原画像データであっても良いし、対象画像のサムネイルデータであっても良い。
【００２７】
ステップＳ１３にて対象画像が表示されると同時に、画像処理部１２は、ステップＳ１４において対象画像に対しリサイズ処理を実行する。即ちステップＳ１４において、画像処理部１２は、特段のユーザ操作の入力を待つことなく、対象画像の表示に連動してリサイズ処理を実行開始する。より具体的には例えば、画像処理部１２は、対象画像が表示されたとき、対象画像の表示を契機（トリガ）としてリサイズ処理を実行開始する。換言すれば例えば、画像処理制御部５２（図４参照）は、対象画像が表示されることをリサイズ処理の実行開始条件に定め、対象画像の表示開始と同時に当該実行開始条件が充足したと判断して、特段のユーザ操作の入力を待つことなく、画像処理部１２に対象画像のリサイズ処理を実行開始させる。リサイズ処理において、画像処理部１２は、公知の幾何学的変換を用い、記録媒体ＲＭに記録された対象画像の原画像データから対象画像の原画像データよりもデータサイズの小さい対象画像のリサイズデータを生成する。
【００２８】
図８（ｄ）に示す如く、画像処理部１２は、任意の記録画像ＲＩ［ｉ］についての原画像データ３００、リサイズデータ３０１及びサムネイルデータ３０２を取得又は生成することができる。データ３００、３０１及び３０２は、全て、共通の対象画像の画像データであるが、リサイズデータ３０１による対象画像の画像サイズは、原画像データ３００による対象画像の画像サイズよりも小さく且つサムネイルデータ３０２による対象画像の画像サイズよりも大きい。図８（ａ）、（ｂ）、（ｃ）に、夫々、データ３００、３０１、３０２によって表現される対象画像を示す。原画像データ３００による対象画像の水平及び垂直方向の画素数は夫々ＸO及びＹOであり、リサイズデータ３０１による対象画像の水平及び垂直方向の画素数は夫々ＸA及びＹAであり、サムネイルデータ３０２による対象画像の水平及び垂直方向の画素数は夫々ＸB及びＹBである。ここで、“ＸO＞ＸA＞ＸB”且つ“ＹO＞ＹA＞ＹB”が成立する。ステップＳ１４において、画像処理部１２は、原画像データ３００からサムネイルデータ３０２をも生成する。但し、サムネイルデータ３０２が画像ファイルＦＬ［ｉ］のヘッダ領域に保存されている場合においては、ステップＳ１４において、画像処理部１２は、読み出し制御部５１を利用して記録媒体ＲＭからサムネイルデータ３０２を読み出せばよい。
【００２９】
リサイズ処理を行いつつ、ステップＳ１５において、主制御部１７は、対象画像の変更指示が画像転送装置１に入力されたか否かを確認し、対象画像の変更指示が画像転送装置１に入力された場合にはステップＳ１５からステップＳ１６への遷移を発生させる一方で、そうでない場合にはステップＳ１５からステップＳ１７への遷移を発生させる。所定のタッチパネル操作を対象画像の変更指示に対応させることができる。
【００３０】
具体的には例えば、対象画像が記録画像ＲＩ［ｉ］であるときに、ユーザが右スワイプを行うと対象画像が記録画像ＲＩ［ｉ＋ｊ］に変更され、ユーザが左スワイプを行うと対象画像が記録画像ＲＩ［ｉ−ｊ］に変更される。この場合、右／左スワイプが対象画像の変更指示の入力に相当する。ここでｊは正の整数であり、ｊの具体的数値は右／左スワイプの程度に依存する。また、ユーザが下スワイプを行ったとき、下スワイプに応答して、表示制御部５３は、記録媒体ＲＭ内の複数の記録画像のサムネイルを表示画面１４Ａに同時に並列表示する。記録画像ＲＩ［１］〜ＲＩ［ｎ］のサムネイルを表示画面１４Ａ上に同時表示できない場合には、スクロール表示等を用いて、記録画像ＲＩ［１］〜ＲＩ［ｎ］のサムネイルを時分割で表示すれば良い。ユーザは、並列表示された複数のサムネイルの内、何れかのサムネイルをタッチパネル操作にて指定することができ、該指定が行われたとき、指定されたサムネイルに対応する記録画像が対象画像に設定される。この場合、当該指定が対象画像の変更指示に相当する。
【００３１】
尚、ユーザが上スワイプを行ったとき、上スワイプに応答して、表示制御部５３は、後述のペアリングに利用される、画像転送装置１に固有のパスワード又はＱＲコード（登録商標）を表示画面１４Ａに表示する。右、左、下、上スワイプとは、夫々、操作体を表示画面１４Ａに接触させつつ操作体を右、左、下、上に移動させるタッチパネル操作を指す。
【００３２】
ステップＳ１６において、主制御部１７は、対象画像の変更指示に従って対象画像を変更し、表示制御部５３は、表示画面１４Ａに表示される画像を変更前の対象画像から変更後の対象画像に切り替える。その後、ステップＳ１４への遷移を発生させて、変更後の対象画像に対してリサイズ処理を実行し、再びステップＳ１５に戻る。尚、対象画像の変更指示は表示画像の変更指示であると考えても良いし、ステップＳ１６での対象画像の変更は表示画像の変更であると考えても良い。そうすると、図４の選択部５４は、ステップＳ１５にて入力された表示画像の変更指示に従い、表示画面１４Ａに表示すべき画像を記録画像ＲＩ［１］〜ＲＩ［ｎ］の中から選択している（或る記録画像から他の記録画像に変更する）、と考えることができる。
【００３３】
ステップＳ１７では、所定の送信指示Ｑの入力有無が判断されるが、ユーザによる送信指示Ｑの入力に先立ち、情報機器２に関してステップＳ２１〜Ｓ２４の処理が実行される。ステップＳ２１において情報機器２の電源がオンした後、ステップＳ２２において、ユーザが情報機器２を操作することで、特定のアプリケーションプログラムであるプログラムＡＰＬを情報機器２（主制御部２５）上で起動させる。情報機器２においてプログラムＡＰＬが起動すると、ステップＳ２３において、プログラムＡＰＬに従い、画像転送装置１及び情報機器２間のペアリングが実行される。画像転送装置１及び情報機器２間のペアリングとは、画像転送装置１及び情報機器２間で任意のデータの通信を可能にするための接続処理であり、通信部１５及び２２間で所定データを交換することで当該ペアリングが実現される。
【００３４】
ここでは、ペアリングにおいて画像転送装置１がアクセスポイントとして機能するものとする。従って、プログラムＡＰＬが起動すると、情報機器２はアクセスポイントとして利用可能な装置を通信部２２を用いて探索し、画像転送装置１を含む探索された装置の識別情報（装置の名称等）を表示部２１に表示する。ユーザは、画像転送装置１をアクセスポイントとして選択する操作を情報機器２に入力する。その後、認証処理を経て画像転送装置１及び情報機器２間のペアリングが完了する。画像転送装置１に固有のパスワードをユーザが情報機器２に入力することで或いは画像転送装置１に固有のＱＲコード（登録商標）を情報機器２に撮影させることで、認証処理は完了する。尚、画像転送装置１及び情報機器２間の認証処理が一度行われたならば、次回以降、情報機器２上でプログラムＡＰＬを起動させるだけで、認証処理を必要とせずに自動的に画像転送装置１及び情報機器２間のペアリングが完了する。ペアリングの完了後、ステップＳ２４において、情報機器２は、プログラムＡＰＬに従いデータ受信待機状態になる。ステップＳ２１〜ＳＳ４は、後述のステップＳ１８が実行されるまでの任意のタイミングに実行されれば良い（但し、ステップＳ２３及びＳ２４についてはステップＳ１２の後に実行される必要がある）
【００３５】
画像転送装置１側の動作説明に戻る。ステップＳ１７において、主制御部１７は、所定の送信指示Ｑが画像転送装置１に入力されたか否かを確認し、送信指示Ｑが画像転送装置１に入力された場合にはステップＳ１７からステップＳ１８への遷移を発生させる一方で、そうでない場合にはステップＳ１７からステップＳ１５への遷移を発生させてステップＳ１５及びそれに続く処理を繰り返す。
【００３６】
送信指示Ｑは、画像転送装置１の特定の動きである送信指示動きに相当する。動き検出部１３は、センサを用いて送信指示動きの有無を検出し、主制御部１７（例えば通信制御部５５）は、送信指示動きがあったと検出された場合に送信指示Ｑが画像転送装置１に入力されたと判断して、ステップＳ１８の処理を行う。
【００３７】
送信指示動きは、所定方向に沿って画像転送装置１を振動させる動きであって良い。送信指示Ｑの一種である送信指示Ｑ1の具体例を説明する。図９に示す如く、情報機器２を机等に載置した状態において、ユーザが画像転送装置１を情報機器２に近づけた後に情報機器２から遠ざけるという単位振動運動を１回実行した後、再び画像転送装置１を情報機器２に近づけるという半振動運動を実行することにより送信指示Ｑ1が画像転送装置１に入力される。実使用においては、単位振動運動及び半振動運動の夫々において、画像転送装置１を情報機器２に近づける際に画像転送装置１の筐体を情報機器２（例えば表示画面２１Ａ）に軽くトンと当てるという形態が想定される。この場合、画像転送装置１をトントンと、２回、情報機器２に当てる操作が送信指示Ｑ1に相当することになる。
【００３８】
図１０（ａ）に示す如く、画像転送装置１の重心を原点ＯにとったＸＹＺ座標系を考える。ＸＹＺ座標系は、原点Ｏにて互いに直交するＸ軸、Ｙ軸及びＺ軸を座標軸として持つ三次元座標系である。Ｚ軸は、表示画面１４Ａに直交し、Ｘ軸及びＹ軸は表示画面１４Ａに平行であるとする。動き検出部１３は、Ｘ軸、Ｙ軸又はＺ軸方向における画像転送装置１の加速度を検出する加速度センサ１３Ｘ、１３Ｙ又は１３Ｚを有する（図１０（ｂ）〜（ｄ）参照）。動き検出部１３は、加速度センサ１３Ｘ、１３Ｙ及び１３Ｚの内、任意の２つの加速度センサを有していても良いし、加速度センサ１３Ｘ、１３Ｙ及び１３Ｚの全てを有していても良い。
【００３９】
動き検出部１３は、自身が有する加速度センサの検出結果を示すセンサ出力信号に基づき、画像転送装置１の振動運動を含む画像転送装置１の動きを検出し、これによって送信指示動きの有無を検出することができる。図１１（ａ）〜（ｃ）において、軸３３０は点３３１及び点３３２間を結ぶ実空間上の任意の軸である。点３３１から点３３２に向かう方向へ画像転送装置１の重心が所定距離以上移動することを移動ＭＶ１と呼び、点３３２から点３３１に向かう方向へ画像転送装置１の重心が所定距離以上移動することを移動ＭＶ２と呼ぶ。移動ＭＶ１又はＭＶ２は、半周期分の振動運動に相当する半振動運動であり、１つの移動ＭＶ１と１つの移動ＭＶ２の組み合わせは、１周期分の振動運動に相当する単位振動運動である。動き検出部１３は、センサ出力信号に基づき移動ＭＶ１の有無及び移動ＭＶ２の有無を検出することができる。動き検出部１３は、例えば、センサ出力信号に基づき移動ＭＶ１、ＭＶ２及びＭＶ１が所定時間内にこの順番で連続的に検出されたとき、送信指示Ｑ1に対応する送信指示動きがあると検出する。このように、送信指示Ｑ1に対応する送信指示動きでの振動は、１．５周期分の振動に相当する。送信指示動きにおける画像転送装置１の振動方向は、Ｘ軸、Ｙ軸又はＺ軸に平行であっても良いし、Ｘ軸、Ｙ軸又はＺ軸と異なる軸方向に平行であっても良い。
【００４０】
図７のステップＳ１８において、送信部１５Ｂは、通信制御部５５の制御の下、現在表示されている対象画像のリサイズデータを情報機器２に対して送信する。送信されたリサイズデータは、ステップＳ１８に連動するステップＳ２５において受信部２２Ａにて受信され、プログラムＡＰＬに従い、主制御部２５は、受信したリサイズデータをメモリ２４内の所定フォルダに保存する。この際、受信したリサイズデータによる対象画像が表示画面２１Ａに表示されても良い。
【００４１】
画像転送装置１側では、１つのリサイズデータの送信後もステップＳ１４〜Ｓ１８から成る処理を繰り返し実行することができ、情報機器２側では１つのリサイズデータの受信及び保存後もステップＳ２５の処理を繰り返し実行することができる。故に例えば、記録画像ＲＩ［ｎ］のリサイズデータの送受信及び保存後、表示される対象画像が記録画像ＲＩ［ｎ−１］、ＲＩ［ｎ−２］へと次々に変更されて変更の度に送信指示Ｑが入力されれば、記録画像ＲＩ［ｎ−１］及びＲＩ［ｎ−２］のリサイズデータも次々と情報機器２に送信されて、記録画像ＲＩ［ｎ−１］及びＲＩ［ｎ−２］のリサイズデータも次々と情報機器２にて受信及び保存される。
【００４２】
図１２に、図７の動作に対応する、画像データの転送手順（コピーの手順）の概念図を示す。本実施形態によれば、転送を望む画像が表示された画像転送装置１を振る（特に例えば情報機器２をトントンと叩く）という直感的な操作で画像データの送信を指示することができ、ユーザにとってメリットが大きい。本実施形態によれば、図１６の手順との比較において、非常に簡素な操作で（従って短時間で）画像データの転送（コピー）を完了することができる。
【００４３】
また、情報機器２におけるメモリ２４の記憶容量は比較的小さいことが多い（情報機器２が特に小型情報機器である場合）。この場合において、データサイズの大きな画像データを情報機器２に転送したならば、メモリ２４の記憶残容量が容易に枯渇してしまう。また、データサイズの大きな画像データを情報機器２に転送する場合、転送時の通信時間が相応に長くなる。一方において、スマートフォン等の情報機器２で必要になる画像データの解像度はそれほど高いものでないことも多い。例えば、カメラＣＭでは高精細な撮影が成されて、１枚の静止画像としての記録画像に対して１０メガバイトの原画像データが生成される。しかしながら、スマートフォン等の情報機器２を利用して、転送された画像データを情報機器２上で閲覧したり、電子メールに添付して知人に送信したり、ソーシャルネットワーキングサービスを運営するウェブサイトに載せたりする際、１０メガバイトに及ぶような高精細な画像データは必要にならないことも多く、数１０キロ〜数１００キロバイト程度の画像データで十分であることも多い。これを考慮し、画像転送装置１では、原画像データよりデータサイズの小さいリサイズデータを送信する。但し、この際、ユーザの送信指示を受けてからリサイズデータの生成を行っていたのでは、送信完了までにかかる時間が長くなる（応答性が悪くなる）。故に、図７の手順では、対象画像の表示に連動してリサイズ処理を実行する。これにより、送信指示を受けたときには、リサイズデータの生成が完了又は略完了していることが期待され、送信指示の入力から送信完了までの待ち時間が短縮されてユーザの利便性が増す。
【００４４】
また、ステップＳ１４の処理は、記録媒体ＲＭのカードスロット１１への挿入に連動して実行されるものであっても良い。これによっても、送信指示を受けたときには、リサイズデータの生成が完了又は略完了していることが期待され、送信指示の入力から送信完了までの待ち時間が短縮されてユーザの利便性が増す。即ち、画像処理部１２は、記録媒体ＲＭのカードスロット１１への挿入に連動して対象画像に対するリサイズ処理を行っても良い（但し、この場合における対象画像は、ステップＳ１３において表示画像選択部５４により選択された記録画像である）。より具体的には、画像処理部１２は、記録媒体ＲＭがカードスロット１１に挿入されたことを契機（トリガ）にして対象画像のリサイズ処理を実行開始しても良い。換言すれば例えば、画像処理制御部５２（図４参照）は、記録媒体ＲＭがカードスロット１１に挿入されることをリサイズ処理の実行開始条件に定め、当該挿入が確認されると同時に当該実行開始条件が充足したと判断して、特段のユーザ操作の入力を待つことなく、画像処理部１２に対象画像のリサイズ処理を実行開始させても良い。
【００４５】
記録媒体ＲＭのカードスロット１１への挿入は、記録媒体ＲＭがカードスロット１１に電気的に接続されることと同義である。例えば、カードスロット１１に記録媒体ＲＭが挿入されているときにオンとなる一方でカードスロット１１に記録媒体ＲＭが挿入されていないときにオフとなるスイッチ（不図示）をカードスロット１１内に設けておく。画像転送装置１（例えば、画像処理部１２及び主制御部１７）は、当該スイッチのオン／オフ状態に基づき、記録媒体ＲＭがカードスロット１１に挿入されたか否かを判断することができる。
【００４６】
尚、リサイズデータのデータサイズ、又は、リサイズデータによって表現される対象画像の画素数（ＸA×ＹA）は、画像転送装置１において予め設定されていても良いし、情報機器２からの信号に基づき設定されても良い。但し、当該信号による設定前においては、リサイズデータのデータサイズ又は画素数（ＸA×ＹA）は所定の初期値を持つ。また、タッチパネル操作等を介してユーザがリサイズデータのデータサイズ又は画素数（ＸA×ＹA）を指定できても良い。
【００４７】
上述の構成及び動作を基本とする、画像転送装置１及び情報機器２における構成又は動作のより詳細な具体例又は変形例等を、以下の複数の実施例の中で説明する。矛盾無き限り、以下に示す複数の実施例の内、任意の２以上の実施例を組み合わせて実施することもできる。
【００４８】
＜＜第１実施例＞＞
第１実施例を説明する。上述したように、対象画像が表示画面１４Ａに表示されたとき、ステップＳ１４において、画像処理部１２は対象画像に対するリサイズ処理を実行するが、この際、画像処理部１２は対象画像の原画像データ３００から対象画像のサムネイルデータ３０２も生成する、或いは、読み出し制御部５１を利用して記録媒体ＲＭから対象画像のサムネイルデータ３０２を読み出す（図８（ａ）〜（ｄ）参照）。サムネイルデータ３０２の生成又は読み出しは、リサイズ処理の開始直前、リサイズ処理の実行中又はリサイズ処理の終了直後に行われる。
【００４９】
その後、送信指示Ｑが画像転送装置１に入力された場合、送信部１５Ｂは、送信指示Ｑ（例えば上述の送信指示Ｑ1）の入力に応答して、まず、サムネイルデータ３０２を情報機器２に対して送信し、その後に続けてリサイズデータ３０１を情報機器２に送信する。情報機器２では、プログラムＡＰＬに従い、サムネイルデータ３０２を受信したら、まずサムネイルデータ３０２による対象画像を表示画面２１Ａに表示し、その後、リサイズデータ３０１を受信したらリサイズデータ３０１による対象画像を表示画面２１Ａに表示する。
【００５０】
リサイズデータは比較的小さなデータであるが、それでも例えばデータ転送に、数１００ミリ秒〜１秒程度が必要になる。故に、リサイズデータのみを転送し且つ転送後にリサイズデータによる画像を表示画面２１Ａに表示する仕様を採用した場合には、送信指示Ｑから表示画面２１Ａでの対象画像表示まで相応の時間が必要になり、ユーザは応答性に関して不満を抱くこともある、又は、その時間の間、所望の送受信動作がキチンと行われたかどうかを確認できない。そこで、上述の如く、まずサムネイルデータを送信してサムネイルの表示を情報機器２で行うようにし、その後においてリサイズデータを送信すると良い。これにより、送信指示Ｑの後、短時間で対象画像（サムネイル）を情報機器２にて表示できるため、ユーザは所望の送受信動作が期待通りに行われていることを速やかに確認することができる。
【００５１】
＜＜第２実施例＞＞
第２実施例を説明する。第２実施例では、選択部５４により選択され表示画面１４Ａに表示される記録画像が動画像であることを想定する。説明の具体化のため、記録画像ＲＩ［１］が動画像であるとし（故に、記録画像ＲＩ［１］を記録動画像ＲＩ［１］とも言う）、ステップＳ１３において又はステップＳ１５の変更指示を介して、選択部５４により記録動画像ＲＩ［１］が表示画面１４Ａに表示されるべき画像として選択されたとする。
【００５２】
この場合、表示制御部５３は、ステップＳ１３又はＳ１６において、記録動画像ＲＩ［１］の表示画面１４Ａ上での再生を開始する。再生開始後、所定のタッチパネル操作等により動画像再生の早送りや巻き戻しが可能であると共に、表示制御部５３は、所定の一時停止指示の入力に応答して当該再生の一時停止を行う。一時停止指示は、所定のタッチパネル操作又はボタン操作でも良いし、画像転送装置１に所定動きを与える操作が一時停止指示の入力に相当していても良い。記録動画像ＲＩ［１］の再生の一時停止が行われると、その時点で表示画面１４Ａに表示されていた、記録動画像ＲＩ［１］中のフレーム（以下、一時停止中フレームという）が静止画像として表示され続ける。
【００５３】
主制御部１７は、一時停止中フレームを対象画像として取り扱い、ステップＳ１４の処理等を実行する。即ち、一時停止指示の入力に応答して一時停止中フレームが静止画像として表示されると、その表示に連動して（換言すれば、一時停止中フレームの静止画像としての表示を契機として）、画像処理部１２は、一時停止中フレームに対するリサイズ処理を実行し、これによって一時停止中フレームのリサイズデータを生成する。この際、画像処理部１２は、一時停止中フレームのサムネイルデータを更に生成しても良い。画像処理部１２は、記録動画像ＲＩ［１］の原画像データに含まれる一時停止中フレームの原画像データから一時停止中フレームのリサイズデータ及びサムネイルデータを生成することができる。上述の説明から明らかなように、リサイズデータにて表現される一時停止中フレームの画像サイズ及びデータサイズは、原画像データにて表現される一時停止中フレームの画像サイズ及びデータサイズよりも小さい。
【００５４】
この後、送信指示Ｑがあったならば、対象画像としての一時停止中フレームのリサイズデータが送信部１５Ｂから情報機器２に送信される。この際、第１実施例で述べたように、一時停止中フレームのサムネイルデータを送信してからリサイズデータを送信するようにしても良い。
【００５５】
第２実施例によれば、記録動画像中の任意のフレームの画像データをも、直感的な操作で素早く情報機器２に転送することができる。
【００５６】
尚、第２実施例では、動画像中のフレームの画像データが静止画像の画像データとして情報機器２に送信されているが、動画像の画像データを情報機器２に送信する機能が画像転送装置１に設けられていても良い。
【００５７】
＜＜第３実施例＞＞
第３実施例を説明する。まず、図１３を参照し、任意の１つの対象画像である注目対象画像についてのリサイズ処理を詳細説明する。リサイズ処理は、注目対象画像の画像サイズを縮小する縮小処理と、縮小処理後の注目対象画像の画像データを圧縮することで圧縮データ３５０を生成する圧縮処理と、注目対象画像の圧縮データ３５０と注目対象画像の関連データを格納した画像ファイル３６０を生成するファイル化処理と、を含んで形成される。
【００５８】
縮小処理前の注目対象画像の水平及び垂直方向の画素数はＸO及びＹOであり、縮小処理後の注目対象画像の水平及び垂直方向の画素数はＸA及びＹAである（図８（ａ）及び（ｂ）も参照）。圧縮処理は、任意の圧縮規格（例えばＪＰＥＧ（Joint Photographic Experts Group）の圧縮規格）に従う。注目対象画像の関連データは、画像ファイル３６０の生成日時情報、ファイル名等を含む。後の送信に備えて、生成された画像ファイル３６０はメモリ１６に一時保存される。画像ファイル３６０のファイル名は、任意であるが、注目対象画像の原画像データを格納する画像ファイルＦＬ［ｉ］のファイル名と同じであっても良い。
【００５９】
実際には、画像ファイル３６０がリサイズデータとして送信部１５Ｂから情報機器２に送信される（図７のステップＳ１８）。但し、リサイズ処理からファイル化処理が割愛されても良い。この場合、圧縮データ３５０がリサイズデータとして送信部１５Ｂから情報機器２に送信され、ファイル化処理は情報機器２において行われる。尚、画像転送装置１から情報機器２に転送されてきた画像ファイル３６０のファイル名が、情報機器２が保持している他の画像ファイルのファイル名と競合する場合には、情報機器２側で画像ファイル３６０のファイル名を変更すれば良い。
【００６０】
今、対象画像としての第１静止画像に対するリサイズ処理の実行中において、対象画像を第１静止画像から第２静止画像に変更するための対象画像の変更指示が入力されたことを想定する（図７のステップＳ１５）。当該変更指示は、表示画像を第１静止画像から第２静止画像に変更するための表示画像の変更指示でもあり、画像転送装置１は、当該変更指示の入力に応答して、直ちに対象画像及び表示画像を第１静止画像から第２静止画像に変更する（ステップＳ１６）。第１及び第２静止画像は、当然互いに異なり、例えば夫々記録画像ＲＩ［ｎ］及びＲＩ［ｎ−１］である。
【００６１】
ステップＳ１６において、表示画像及び対象画像が第１静止画像から第２静止画像に切り替わると、画像処理部１２は、現在実行している第１静止画像に対するリサイズ処理を停止し、代わりに、ステップＳ１４において第２静止画像（新たな対象画像）に対するリサイズ処理を実行開始する。つまり、新たな対象画像の表示に連動して（新たな対象画像の表示を契機として）、新たな対象画像に対するリサイズ処理を実行開始する。第２静止画像に対するリサイズ処理では、記録媒体ＲＭに記録された第２静止画像の原画像データから第２静止画像のリサイズデータ（詳細には、第２静止画像についての画像ファイル３６０又は圧縮データ３５０）が生成される。リサイズ処理後の動作は上述した通りである。従って、対象画像が第２静止画像に変更された後に送信指示Ｑがあった場合には、第２静止画像のリサイズデータが送信部１５Ｂから情報機器２に送信される。
【００６２】
画素数ＸO、ＹO、ＸA及びＹA並びに画像転送装置１の動作クロック等に依存するが、縮小処理、圧縮処理、ファイル化処理の夫々に１００ミリ秒程度の時間を要する。対象画像が第１静止画像から第２静止画像に変更された場合において、仮に、第１静止画像のリサイズ処理の完了を待ってから表示画像を切り替えて第２静止画像のリサイズ処理を開始する仕様を採用したならば、不要とも言える前者のリサイズ処理の時間分、後者のリサイズ処理の完了が遅れる（例えば最大３００ミリ秒程度遅れる）。このような遅れは、ユーザにとって好ましいものではない。第３実施例の如く、変更指示があった場合に、現在のリサイズ処理を停止して新たな対象画像へのリサイズ処理を速やかに実行開始すれば、このような遅れが無くなり、短時間で必要なリサイズデータを生成することができる。
【００６３】
＜＜第４実施例＞＞
第４実施例を説明する。第４実施例では、図１４に示す如く、ｍ台の情報機器２［１］〜２［ｍ］が画像転送装置１と通信可能である状況を想定する。ｍは２以上の整数である。情報機器２［１］〜２［ｍ］の夫々は、情報機器２と同じものである。情報機器２［１］〜２［ｍ］の夫々において図７のステップＳ２１〜Ｓ２３が実行され、情報機器２［１］〜２［ｍ］の夫々が画像転送装置１からのデータの受信を待機している状況を考える。また、画像転送装置１は、図７のステップＳ１１〜Ｓ１５の処理又はステップＳ１１〜Ｓ１６の処理を経由して、送信指示Ｑの入力を待機しているものとする。
【００６４】
このような状況下において、ユーザは、送信指示Ｑとして、上述の送信指示Ｑ1又は送信指示Ｑ1と異なる後述の送信指示Ｑ2を画像転送装置１に入力することができる。送信指示Ｑ2に対応する送信指示動きは、送信指示Ｑ1と同様、所定方向に沿って画像転送装置１を振動させる動きであるが、送信指示Ｑ1に対応する送信指示動きと送信指示Ｑ2に対応する送信指示動きとの間で画像転送装置１の振動回数が互いに異なる。以下では、便宜上、送信指示Ｑ1に対応する送信指示動き、送信指示Ｑ2に対応する送信指示動きを、夫々、動きＱ1MV、動きＱ2MVとも呼ぶ。
【００６５】
図１５（ａ）、（ｂ）に、動きＱ1MV、Ｑ2MV（第１、第２送信指示動きに相当）による送信指示Ｑ1、Ｑ2の入力方法を示す。情報機器２［ｉ］を机等に載置した状態において、図１５（ａ）に示す如く、単位振動運動を１回実行した後に半振動運動を実行することにより送信指示Ｑ1が画像転送装置１に入力され、図１５（ｂ）に示す如く、単位振動運動を２回実行した後に半振動運動を実行することにより送信指示Ｑ2が画像転送装置１に入力される。実使用においては、単位振動運動及び半振動運動の夫々において、画像転送装置１を情報機器２［ｉ］に近づける際に画像転送装置１の筐体を情報機器２［ｉ］（例えば表示画面２１Ａ）に軽くトンと当てるという形態が想定される。この場合、画像転送装置１をトントンと、２回、情報機器２［ｉ］に当てる操作が送信指示Ｑ1に相当することになり、画像転送装置１をトントントンと、３回、情報機器２［ｉ］に当てる操作が送信指示Ｑ2に相当することになる。
【００６６】
具体的には例えば、動き検出部１３は、上述のセンサ出力信号に基づき移動ＭＶ１、ＭＶ２及びＭＶ１が所定時間内にこの順番で連続的に検出されたとき、動きＱ1MVがあると検出し、センサ出力信号に基づき移動ＭＶ１、ＭＶ２、ＭＶ１、ＭＶ２及びＭＶ１が所定時間内にこの順番で連続的に検出されたとき、動きＱ2MVがあると検出する。但し、動きＱ2MVがあると検出された場合には、動きＱ1MVは無いと検出されるものとする。このように、動きＱ1MVでの振動は１．５周期分の振動に相当し、動きＱ2MVでの振動は２．５周期分の振動に相当する。
【００６７】
図７のステップＳ１７において、動き検出部１３は、センサ出力信号に基づき動きＱ1MVの有無及び動きＱ2MVの有無を検出する。そして、主制御部１７（例えば通信制御部５５）は、動きＱ1MVがあったと検出された場合には送信指示Ｑ1が画像転送装置１に入力されたと判断してステップＳ１８にて第１送信処理を行う一方、動きＱ2MVがあったと検出された場合には送信指示Ｑ2が画像転送装置１に入力されたと判断してステップＳ１８にて第２送信処理を行う。各送信処理は送信部１５Ｂを用いて実現される。
【００６８】
第１送信処理について説明する。第１送信処理において、送信部１５Ｂは、通信制御部５５（図４参照）の制御の下、現在表示されている対象画像のリサイズデータを特定の情報機器２に対してのみ送信する。この際、通信制御部５５は、情報機器２［１］〜２［ｍ］の夫々と画像転送装置１との間の電波状態に応じて、特定の情報機器２を決定する。
【００６９】
情報機器２［１］〜２［ｍ］の夫々と画像転送装置１との間のペアリングの完了後、ステップＳ２４（図７）において、情報機器２［１］〜２［ｍ］の夫々と画像転送装置１との間で所定データが無線にて繰り返し送受信される。この所定データの送受信時における電波状態に応じて、特定の情報機器２が決定される。
【００７０】
具体的には例えば、通信制御部５５は、送信指示Ｑ1の入力時点における電波強度ＩＮＴ［１］〜ＩＮＴ［ｍ］の内の最大の電波強度に対応する情報機器２を、特定の情報機器２と定める。電波強度ＩＮＴ［ｉ］は、情報機器２［ｉ］からの電波を受信部１５Ａにて受信したときの受信電波強度である。故に例えば、電波強度ＩＮＴ［１］〜ＩＮＴ［ｍ］の内、電波強度ＩＮＴ［１］が最大であれば情報機器２［１］に対してのみリサイズデータが送信される。
【００７１】
或いは例えば、通信制御部５５は、送信指示Ｑ1の入力時点における画像転送装置１及び情報機器２［１］〜２［ｍ］間の電波状況から距離ＤＳＴ［１］〜ＤＳＴ［ｍ］を推定し、推定距離ＤＳＴ［１］〜ＤＳＴ［ｍ］の内、最小の距離に対応する情報機器２を特定の情報機器２と定めても良い。距離ＤＳＴ［ｉ］は、画像転送装置１及び情報機器２［ｉ］間の距離を指す。電波状態に基づく距離ＤＳＴ［ｉ］の推定方法として、公知の方法を利用可能である。故に例えば、推定距離ＤＳＴ［１］〜ＤＳＴ［ｍ］の内、推定距離ＤＳＴ［１］が最小であれば情報機器２［１］に対してのみリサイズデータが送信される。
【００７２】
送信されたリサイズデータは、特定の情報機器２の受信部２２Ａにて受信され、特定の情報機器２において、プログラムＡＰＬに従い、主制御部２５は、受信したリサイズデータをメモリ２４内の所定フォルダに保存する。
【００７３】
第２送信処理について説明する。第２送信処理において、送信部１５Ｂは、通信制御部５５（図４参照）の制御の下、現在表示されている対象画像のリサイズデータを情報機器２［１］〜２［ｍ］に夫々に対して送信する。この際、通信制御部５５は、情報機器２［１］〜２［ｍ］の夫々と画像転送装置１との間の電波状態に応じて、各情報機器２に対するリサイズデータの送信順序を決定する。
【００７４】
具体的には例えば、通信制御部５５は、送信指示Ｑ2の入力時点における電波強度ＩＮＴ［１］〜ＩＮＴ［ｍ］に基づき、より高い電波強度に対応する情報機器２から順にリサイズデータが送信されるように上記送信順序を決定する。故に例えば、ｍ＝３であって且つ不等式“ＩＮＴ［１］＞ＩＮＴ［２］＞ＩＮＴ［３］”が成立する場合、送信部１５Ｂは、リサイズデータを情報機器２［１］に送信してから情報機器２［２］に送信し、最後に情報機器２［３］に送信する。
【００７５】
或いは例えば、通信制御部５５は、送信指示Ｑ2の入力時点における画像転送装置１及び情報機器２［１］〜２［ｍ］間の電波状況から距離ＤＳＴ［１］〜ＤＳＴ［ｍ］を推定し、より短い推定距離に対応する情報機器２から順にリサイズデータが送信されるように上記送信順序を決定しても良い。故に例えば、ｍ＝３であって且つ不等式“ＤＳＴ［１］＜ＤＳＴ［２］＜ＤＳＴ［３］”が成立する場合、送信部１５Ｂは、リサイズデータを情報機器２［１］に送信してから情報機器２［２］に送信し、最後に情報機器２［３］に送信する。
【００７６】
第４実施例によれば、複数の情報機器と無線接続された状態において、特定の動き（Ｑ1MV、Ｑ2MV）を使い分けることでデータの送信先を選択することができる。データ送信が可能な一般的な機器では、メニュー画面上での設定操作を介して送信先選択が実現されることが多いが、第４実施例では、画像転送装置１に与える動きを変化させるだけで送信先を変えることができ、操作性が高い。
【００７７】
尚、第１又は第２送信処理において、第１実施例で述べたように、送信部１５Ｂは、特定の情報機器２に対し又は情報機器２［１］〜［ｍ］の夫々に対し、対象画像のサムネイルデータを送信してから対象画像のリサイズデータを送信しても良い。これにより、第１実施例で述べた効果が得られる。第２送信処理において、情報機器２［１］〜［ｍ］の夫々に対し、対象画像のリサイズデータの送信に先立ち対象画像のサムネイルデータを送信する際、より高い電波強度（ＩＮＴ［ｉ］）に対応する情報機器２から順に又はより短い推定距離（ＤＳＴ［ｉ］）に対応する情報機器２から順にサムネイルデータを送信すると良い。また、第２実施例で述べたように、対象画像は動画像中のフレームであっても良い。
【００７８】
＜＜第５実施例＞＞
第５実施例を説明する。画像転送装置１における互いに異なる複数の動きを区別して検出できるように動き検出部１３を形成しておき、画像転送装置１において、複数の動きに複数の機能を割り当てるようにしても良い。第４実施例は、複数の動き（Ｑ1MV、Ｑ2MV）に複数の機能（第１、第２送信処理）を割り当てる１つの例である。この他、以下のような形態も考えられる。
【００７９】
例えば、２軸以上の方向における画像転送装置１の動きを検出できるように２以上の加速度センサを動き検出部１３に設けておく。この場合において、第１軸方向における画像転送装置１の動き（例えば振動）が検出されたとき、主制御部１７は、その動きを送信指示Ｑの入力とみなして送信部１５Ｂから対象画像のリサイズデータを電子機器２に送信させる。一方、第２軸方向における画像転送装置１の動き（例えば振動）が検出されたとき、主制御部１７は、所定の設定メニューを表示画面１４Ａに表示する。加速度センサ１３Ｘ及び１３Ｚを動き検出部１３に設けておいた場合においては（図１０（ａ）〜（ｄ）参照）、第１軸がＺ軸且つ第２軸がＸ軸である、或いは、その逆である。設定メニューが表示されている状態においてユーザが所定のタッチパネル操作又はボタン操作を行うことで様々な設定を行うことがき、当該様々な設定の中に、リサイズデータのデータサイズの設定又は画素数（ＸA×ＹA）の設定が含まれていても良い。
【００８０】
また例えば、画像転送装置１は、画像転送装置１を振動させる動きの内容に応じて、電子機器２に送信されるリサイズデータのデータサイズを変化させるようにしても良い。より具体的には例えば、第１軸方向における画像転送装置１の動き（例えば振動）が検出されたとき、主制御部１７は、その動きを送信指示Ｑの入力とみなして送信部１５Ｂから、第１データサイズを有する対象画像のリサイズデータを電子機器２に送信させる。一方、第２軸方向における画像転送装置１の動き（例えば振動）が検出されたとき、主制御部１７は、その動きを送信指示Ｑの入力とみなして送信部１５Ｂから、第２データサイズを有する対象画像のリサイズデータを電子機器２に送信させる。第１及び第２データサイズは互いに異なる（第１データサイズにて表現される対象画像の画素数と、第２データサイズにて表現される対象画像の画素数は互いに異なる）。送信指示Ｑの入力に応じて速やかに必要なリサイズデータを送信するべく、リサイズ処理において、画像処理部１２は、第１データサイズを有するリサイズデータと第２データサイズを有するリサイズデータを個別に生成しておくと良い。
【００８１】
＜＜第６実施例＞＞
第６実施例を説明する。上述の各説明では、送信指示Ｑに対応する送信指示動きが、画像転送装置１を振動させる動きそのものに相当すると考えたが、送信指示動きは、画像転送装置１を振動させる動きと画像転送装置１の他の動きを組み合わせた動きであっても良い。
【００８２】
送信指示動きは上述したものに限定されない。例えば、所定方向に画像転送装置１を振る動き（上述の半振動運動）を送信指示動きに対応させても良いし、所定方向に画像転送装置１を任意の所定回数だけ単位振動運動させる動きを送信指示動きに対応させても良いし、Ｘ、Ｙ又はＺ軸を回転軸として画像転送装置１を回転させる動きを送信指示動きに対応させても良い。
【００８３】
＜＜第７実施例＞＞
第７実施例を説明する。上述の各説明では、画像転送装置１の特定の動きを送信指示Ｑに対応させているが、送信指示Ｑの入力は、タッチパネル操作やボタン操作にて実現されても良い。即ち例えば、図７のステップＳ１７において、所定のタッチパネル操作又はボタン操作が画像転送装置１に入力された場合に、主制御部１７は、送信指示Ｑが入力されたと判断して、対象画像のリサイズデータを送信部１５Ｂから電子機器２に送信するようにしても良い。
【００８４】
＜＜第８実施例＞＞
第８実施例を説明する。上述の各説明では、送信指示Ｑの入力に応答してリサイズデータが送信されているが、送信指示Ｑの入力に応答して送信部１５Ｂから原画像データが情報機器２に送信されても良い。即ち、第１〜第７実施例を含む上述の各説明において、送信部１５Ｂから情報機器２に送信される対象画像の画像データは、対象画像のリサイズデータではなく、対象画像の原画像データであっても良い。
【００８５】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１及び注釈２を記す。各注釈に記載した内容は、矛盾なき限り、任意に組み合わせることが可能である。
【００８６】
［注釈１］
画像転送装置１を、ハードウェア、或いは、ハードウェアとソフトウェアの組み合わせによって構成することができる。画像転送装置１にて実現される機能の全部又は一部である任意の特定の機能をプログラムとして記述して、該プログラムをメモリ１６に保存しておき、該プログラムを主制御部１７内のマイクロコンピュータ上で実行することによって、その特定の機能を実現するようにしてもよい。上記プログラムは任意の記録媒体に記憶及び固定されうる。上記プログラムを記憶及び固定する記録媒体は画像転送装置１と異なる機器（サーバ機器等）に搭載又は接続されても良い。
【００８７】
［注釈２］
例えば、以下のように考えることができる。画像転送装置を画像送信装置又は画像データ送信装置と呼んでも良い。画像転送装置１及び１以上の情報機器２により画像転送システムが形成されている、と考えても良い。画像転送装置１を任意の電子機器に搭載しても良い。カメラＣＭ自体に画像転送装置１の機能を持たせても良い（カメラＣＭ内に画像転送装置１を設けても良い）。
【符号の説明】
【００８８】
１  画像転送装置
２  情報機器
１１  カードスロット
１２  画像処理部
１３  動き検出部
１４Ａ  表示画面
１５Ａ  受信部
１５Ｂ  送信部
１７  主制御部
５１  読み出し制御部
５２  画像処理制御部
５３  表示制御部
５４  表示画像選択部
５５  通信制御部
ＲＭ  記録媒体
【図１】
2014096054.tif 000003
【図２】
2014096054.tif 000004
【図３】
2014096054.tif 000005
【図４】
2014096054.tif 000006
【図５】
2014096054.tif 000007
【図６】
2014096054.tif 000008
【図７】
2014096054.tif 000009
【図８】
2014096054.tif 000010
【図９】
2014096054.tif 000011
【図１０】
2014096054.tif 000012
【図１１】
2014096054.tif 000013
【図１２】
2014096054.tif 000014
【図１３】
2014096054.tif 000015
【図１４】
2014096054.tif 000016
【図１５】
2014096054.tif 000017
【図１６】
2014096054.tif 000018